(57)【要約】【課題】  本発明は、現場で容易に組み立てることのできるデッキを提供することにある。【解決手段】  デッキ材１，１ａと枠２とアタッチメント３ａを備え、デッキ材１ａ，１は、対向して配置した枠２間に枠２と平行に複数配設してあり、アタッチメント３ａは、一方の枠２または両方の枠２とデッキ材１ａとの間に設けてあるとともに、長さの異なる上面１０と下面１１の間をデッキ材１ａの飲み込み部１６ａとするものであり、上下反転して枠２に取付自在であることを特徴とする。【選択図】      図１（ａ）（ｂ）
2011017205.tif 000002
【特許請求の範囲】
【請求項１】
デッキ材と枠とアタッチメントを備え、デッキ材は、対向して配置した枠間に枠と平行に複数配設してあり、アタッチメントは、一方の枠または両方の枠とデッキ材との間に設けてあるとともに、長さの異なる上面と下面の間をデッキ材の飲み込み部とするものであり、上下反転して枠に取付自在であることを特徴とするデッキ。
【請求項２】
デッキ材と枠とアタッチメントを備え、デッキ材は、対向して配置した枠間に枠と平行に複数配設してあり、アタッチメントは、一方の枠または両方の枠とデッキ材との間に設けてあるとともに、デッキ材を飲み込む飲み込み部と飲み込み部内に設けた切り取り自在なフィンを有することを特徴とするデッキ。
【発明の詳細な説明】
【技術分野】
【０００１】
本発明は、建物の室外スペースに付設されるデッキに関するものである。
【背景技術】
【０００２】
デッキは、建物出入口に付設して庭先などの室外スペースの有効利用を図るものとして広く普及しており、その中でデッキ材の上にテラス屋根を設ける態様のものがあった。このようなデッキは、デッキの上にテラス屋根を築く縦柱を立設し、縦柱間にはテラス屋根の側壁パネルや出入りのための障子などを取り付ける枠を設けており、側壁間などの対向する枠の間に根太を敷いてその上に複数のデッキ材を配設するものであった。
【発明の概要】
【発明が解決しようとする課題】
【０００３】
ところが、あらかじめ固定された枠内に枠と平行して複数のデッキ材を配設することから、配列方向の端部にあるデッキ材と枠との間にデッキ材１枚が納まらない中途半端な隙間が空くことがあった。このようなときには、配列方向の端部にあるデッキ材を隙間に合わせてデッキ材の長手方向の全長にわたって切り詰める必要があり、これを現場作業で対応するときには大変な手間を要していた。本発明は、上記課題を鑑みてなされたものであり、現場で容易に組み立てることのできるデッキを提供することにある。
【課題を解決するための手段】
【０００４】
本発明のうち請求項１記載の発明は、デッキ材と枠とアタッチメントを備え、デッキ材は、対向して配置した枠間に枠と平行に複数配設してあり、アタッチメントは、一方の枠または両方の枠とデッキ材との間に設けてあるとともに、長さの異なる上面と下面の間をデッキ材の飲み込み部とするものであり、上下反転して枠に取付自在であることを特徴とする。
【０００５】
本発明の請求項２記載の発明は、デッキ材と枠とアタッチメントを備え、デッキ材は、対向して配置した枠間に枠と平行に複数配設してあり、アタッチメントは、一方の枠または両方の枠とデッキ材との間に設けてあるとともに、デッキ材を飲み込む飲み込み部と飲み込み部内に設けた切り取り自在なフィンを有することを特徴とする。
【発明の効果】
【０００６】
本発明のうち請求項１記載の発明によれば、配列方向の一方または両方の端部にあるデッキ材と枠との隙間に合わせ、上面と下面の長さが異なるアタッチメントの隙間に対応する長さを有する面が上面となるように、アタッチメントを上下反転することにより、デッキ材長手方向の全長にわたって切り詰めることなく、簡単にデッキを組み立てることができる。
【０００７】
本発明のうち請求項２記載の発明によれば、配列方向の一方または両方の端部にあるデッキ材と枠の隙間に設けるアタッチメントが、デッキ材を飲み込む飲み込み部と飲み込み部内に設けた切り取り自在なフィンを有することにより、デッキ材を複数配設したときに、アタッチメントの飲み込み部内で配列方向の端部にあるデッキ材の一部を飲み込むことができるとともに、アタッチメント上面に加わる荷重をフィンで受けることで、飲み込み部の潰れを防ぐことができる。これにより、請求項１記載の発明と同様に、デッキ材長手方向の全長にわたって切り詰めることなく、簡単に複数のデッキ材を枠内に枠と平行して配設することができる。また、デッキ材を複数配設し、配列方向の一方または両方の端部にあるデッキ材をアタッチメントの飲み込み部内に深く飲み込んだときには、飲み込み部内に設けてあるフィンを切り取ることで、飲み込み部内にデッキ材をより深く飲み込めるとともに、飲み込んだデッキ材がアタッチメント上面の下方に入り込むことで、切り取ったフィンのかわりにアタッチメントの上方から加わる荷重を受け、これにより、飲み込み部の潰れを防ぎ耐久性を確保することができる。
【図面の簡単な説明】
【０００８】
【図１（ａ）（ｂ）】（ａ）は、第一実施形態のデッキの一部を拡大した縦断面図であり、（ｂ）は、アタッチメントの取り付け状態を上下に変更したときのデッキの一部を拡大した縦断面図である。
【図２（ａ）（ｂ）】第一実施形態のアタッチメントを示す側面図である。
【図３（ａ）（ｂ）】第一実施形態のデッキのアタッチメントの取付手順を示す縦断面図である。
【図４】第一実施形態のデッキの全体を示す一部を簡略化した斜視図である。
【図５（ａ）（ｂ）】（ａ）は、第二実施形態のデッキの縦断面図であり、（ｂ）は、アタッチメントの取り付け状態を上下に変更したときのデッキの縦断面図である。
【図６（ａ）（ｂ）】第二実施形態のアタッチメントを示す側面図である。
【図７（ａ）（ｂ）】本発明の他の実施形態を示すものであり、（ａ）は、第一実施形態のアタッチメントを配列方向の両方の端部にあるデッキ材と枠との間に取り付けた縦断面図であり、（ｂ）は、第二実施形態のアタッチメントを取り付けたときの縦断面図である。
【発明を実施するための形態】
【０００９】
以下に、図面に基づいて本発明によるデッキの第一実施形態を説明する。
本実施によるデッキは、図４のように、間隔をあけて立設する複数の脚部６の上に複数の下デッキ材２１を配設する下デッキと、下デッキ材２１の上に設けるテラス屋根５とからなっている。テラス屋根５は、下デッキ材２１の上面に間隔をあけて立設する縦柱１７の上に屋根１８を設けるものであり、テラス屋根５の室内には、縦柱１７間の下デッキ材２１の上面に取り付ける枠２と、両側に配設してある枠２間に設ける根太４と、左右の枠２側に枠長手方向の端部を向けて配設する複数のデッキ材１，１ａと、配列方向の端部にあるデッキ材１ａと枠２との隙間に取り付けるアタッチメント３ａとを備えている。
【００１０】
デッキ材１，１ａは、所定幅を有する略矩形の中空形材からなる長尺材であり、対向する枠２間の根太４の上に、枠２と平行して間隔をあけて複数配設してある。また、隣接するデッキ材１，１ａ間には、間隙を埋める略Ｔ字形をなすカバー材７が取り付けてあり、Ｔ字の垂直片７ａを間隙に差し込んで固定することで配列したデッキ材１，１ａの上面を略フラットに形成している。また、デッキ材１，１ａの下端部には、デッキ材の両側下部からデッキ材１，１ａの配列方向に向けて突出した鍔部が設けてあるとともに、鍔部の上面から根太４側に押圧する押さえ部材９が設けてあり、デッキ材１，１ａを根太４の上に固定している。
【００１１】
枠２は、縦柱１７の室内側に取り付けてあり、枠２の室内側には、開口を室内側に向けた略コ字状をなす間隙を有し、間隙には配列方向の端部にあるデッキ材１ａを飲み込ませることができる。また、枠２の室外側には障子枠が設けてあり、図示は省略するが、障子が取り付けられる。
【００１２】
アタッチメント３ａは、図２（ａ）（ｂ）に示すように、略水平な長片（上面）１０と短片（下面）１１を斜めの縦片１２で連続させた略Ｚ形をなすものであり、図示のものでは、長片１０を上側に有し、短片１１を下側に有している。そして、上記のアタッチメント３ａを根太４の上に取り付けてあるデッキ材１，１ａのうち、配列方向の端部にあるデッキ材１ａと枠２との隙間に取り付けるときに、図３（ａ）のように、デッキ材１，１ａを根太４の上に取り付けた後、枠２を仮置きし、配列方向の端部にあるデッキ材１ａと枠２との隙間のおおよその広さを把握し、隙間に合うようにアタッチメント３ａを上下反転する。このときに隙間が広ければ、図３（ｂ）のように、長片１０を上面にしてデッキ材１ａの上に長片１０の一部を重ね、長片１０と短片１１との間の飲み込み部１６ａにデッキ１ａを飲み込んでアタッチメント３ａを隙間に取り付け、下面の短片１１を枠２の上片の下方に位置する根太４上にネジ２２でネジ止めし、最後に枠２を根太４の上にネジ２３で固定する。これにより、アタッチメント３ａの長片１０が枠２とデッキ材１ａとの間に入ることで、配列方向の端部にあるデッキ材１ａを長手方向に切り詰めることなく、デッキ材１，１ａを複数配設してデッキ材１ａと枠２との隙間をなくすことができる。反対に、隙間が狭いときには、アタッチメント３ａを上下反転してアタッチメント３ａの短片１１を上側にすると共に長片１０を下側にし、上側にした短片１１の略全体をデッキ材１ａの上に重ね、長片１０と短片１１との間の飲み込み部１６ａにデッキ材１ａを飲み込んでアタッチメント３ａを隙間に取り付ける（図１（ｂ）参照）。また、本実施形態では、一方の枠２とデッキ材１ａとの間の隙間にのみアタッチメント３ａを取り付けてあるが、アタッチメント３ａを取り付けていない他方側のデッキ材１ａは、枠２を飲み込んで形成してある（図３（ａ）（ｂ）の図示右側を参照）。尚、符号２４は、枠２のネジ溝を隠す目皿である。
【００１３】
次に、図５（ａ）（ｂ）に示すものは、本発明のデッキの第二実施形態であり、前述した第一実施形態と相違する点として、アタッチメント３ｂの形状が異なっている。アタッチメント３ｂは、図６（ａ）（ｂ）のように、縦片１３と、縦片１３の上端からデッキ材１，１ａの配列方向に伸びる横片１４とから略Ｌ字形をなしており、Ｌ字の内部は、配列方向の端部にあるデッキ材１ａの飲み込み部１６ｂを形成しており、また、横片１４の中間部には、縦片１３と略平行して垂下するフィン１５を有している。そして、本実施によるアタッチメント３ｂの使用については、図５（ａ）のように、複数のデッキ材１，１ａを配設したときに、横片１４の先端が配列方向の端部にあるデッキ材１ａまで届く状態であれば、フィン１５を切り取らずにそのまま使用する。また同様に、アタッチメント３ｂの飲み込み部１６ｂ内の奥までデッキ材１ａが飲み込まれるようであれば、図５（ｂ）のように、フィン１５を切り取ってデッキ材１ａを飲み込み部１６ｂの奥まで飲み込ませる。このとき、本実施のものであれば、アタッチメント３ｂの横片１４の下部に深くデッキ材１ａが飲み込まれることから、アタッチメント３ｂの上面に加わる荷重をデッキ材１ａで受けることになり、アタッチメント３ｂの上に物が置かれるなど負荷がかかったときの耐久性が確保される。
【００１４】
本発明のデッキは、上記した第一実施形態と第二実施形態のように、デッキ材１，１ａを配列したときの隙間が短いときには、アタッチメント３ａ，３ｂを配列方向のいずれか一方の端部にあるデッキ材１ａと枠２との間のみに取り付けても対応できるが、それ以上に隙間が広くなるときは、図７（ａ）（ｂ）のように、アタッチメント３ａ，３ｂを配列方向の両方の端部にある両デッキ材１ａと、両デッキ材１ａと各々に対応する枠２との間に取り付けることもできる。また、第一実施形態のアタッチメント３ａは、上面１０と下面１１の長さが異なるものであれば、略Ｚ形以外の形状であってもよく、横向き略Ｈ形や略コ字形などもでもよい。また、第２実施形態のアタッチメント３ｂは、フィン１５の垂下する位置が飲み込み部１６ｂにおける配列方向のいずれの位置にあってもよい。
【符号の説明】
【００１５】
１  デッキ材
１ａ  配列方向の端部にあるデッキ材
２  枠
３ａ，３ｂ  アタッチメント
１０  長片（上面）
１１  短片（下面）
１５  フィン
１６ａ，１６ｂ  飲み込み部
【図１（ａ）（ｂ）】
2011017205.tif 000003
【図２（ａ）（ｂ）】
2011017205.tif 000004
【図３（ａ）（ｂ）】
2011017205.tif 000005
【図４】
2011017205.tif 000006
【図５（ａ）（ｂ）】
2011017205.tif 000007
【図６（ａ）（ｂ）】
2011017205.tif 000008
【図７（ａ）（ｂ）】
2011017205.tif 000009